【手続補正書】
【提出日】平成19年3月1日(2007.3.1)
【手続補正１】
【補正対象書類名】特許請求の範囲
【補正対象項目名】全文
【補正方法】変更
【補正の内容】
【特許請求の範囲】
【請求項１】
装置内と装置外との間で空気流を発生させるファンモータの駆動を制御するファン制御装置であって、回転状態にあるべき前記ファンモータが非回転状態であることが検知された場合に第１時間の間に自動復帰動作を行う機能を備えるファン制御装置において、
前記ファンモータが回転状態又は非回転状態のいずれの状態にあるかを検出する回転状態検出手段と、
駆動中の前記ファンモータを停止させる際、前記ファンモータが非回転状態にある場合に、前記ファンモータを前記第１時間よりも長い第２時間だけ延長駆動し、延長駆動期間中に前記ファンモータが回転状態にならなければ前記ファンモータを故障状態と判定し、延長駆動期間中に前記ファンモータが回転状態になれば前記ファンモータを正常状態と判定する故障判定手段とを有することを特徴とするファン制御装置。
【請求項２】
装置内と装置外との間で空気流を発生させるファンモータの駆動を制御するファン制御装置であって、回転状態にあるべき前記ファンモータが非回転状態であることが検知された場合に第１時間の間に自動復帰動作を行う機能を備えるファン制御装置において、
前記ファンモータが回転状態又は非回転状態のいずれの状態にあるかを検出する回転状態検出手段と、
駆動中の前記ファンモータの非回転状態の時間を記憶する非回転状態記憶手段と、
駆動中の前記ファンモータを停止させる際、前記ファンモータが非回転状態にある場合に、前記ファンモータを前記第１時間から前記非回転状態記憶手段に記憶された非回転状態の時間を差し引いた第２時間だけ延長駆動し、延長駆動期間中に前記ファンモータが回転状態にならなければ前記ファンモータを故障状態と判定し、延長駆動期間中に前記ファンモータが回転状態になれば前記ファンモータを正常状態と判定する故障判定手段とを有することを特徴とするファン制御装置。
【請求項３】
前記ファンモータの起動時間を記憶する駆動時間記憶手段を有し、
前記故障判定手段は、前記非回転状態記憶手段に記憶された非回転状態の時間が前記第１時間より長い場合は前記ファンモータを故障状態と判定し、前記駆動時間記憶手段に記憶された起動時間が前記第１時間より短い場合は前記第２時間の延長駆動を行ない、前記駆動時間記憶手段に記憶された起動時間が前記第１時間より長く且つ前記非回転状態記憶手段に記憶された非回転状態の時間が前記第１時間より短い場合は、前記ファンモータを正常状態と判定することを特徴とする請求項２に記載のファン制御装置。
【請求項４】
前記故障判定手段は、
前記ファンモータの駆動中に前記ファンモータが非回転状態にあるときにカウントアップを行う第１カウント手段と、
前記ファンモータが非回転状態から回転状態に変化した時に、前記第１カウンタのリセットを行う第１リセット手段とを有し、
前記第２時間は、前記ファンモータが自動復帰動作に要する前記第１時間から、前記ファンモータ停止時の前記第１カウンタの示す値に相当する時間を差し引いた時間以上であることを特徴とする請求項２に記載のファン制御装置。
【請求項５】
前記故障判定手段は、
前記ファンモータ駆動中にカウントアップを行う第２カウント手段と、
前記ファンモータ停止時に前記第２カウンタをリセットする第２リセット手段とを有し、
駆動中の前記ファンモータを停止させる時の前記第２カウンタの示す値に相当する時間が、前記ファンモータが自動復帰動作に要する前記第１時間以下であり、且つ、前記ファンモータが非回転状態にある場合、前記ファンモータを前記第２時間だけ延長して駆動させ、延長駆動期間中に前記ファンモータが回転状態にならなければ前記ファンモータは故障状態と判断することを特徴とする請求項２に記載のファン制御装置。
【請求項６】
装置内と装置外との間で空気流を発生させるファンモータの制御方法であって、回転状態にあるべき前記ファンモータが非回転状態であることが検知された場合に第１時間の間に自動復帰動作を行うファンモータの制御方法において、
駆動中の前記ファンモータを停止させる際に、前記ファンモータが回転状態又は非回転状態のいずれの状態にあるかを検出する工程と、
前記ファンモータが非回転状態にある場合に、前記ファンモータを前記第１時間よりも長い第２時間だけ延長駆動する工程と、
延長駆動期間中に前記ファンモータが回転状態にならなければ前記ファンモータを故障状態と判定し、延長駆動期間中に前記ファンモータが回転状態になれば前記ファンモータを正常状態と判定する工程とを有することを特徴とするファンモータの制御方法。
【請求項７】
装置内と装置外との間で空気流を発生させるファンモータの制御方法であって、回転状態にあるべき前記ファンモータが非回転状態であることが検知された場合に第１時間の間に自動復帰動作を行うファンモータの制御方法において、
駆動中の前記ファンモータを停止させる際に、前記ファンモータが回転状態又は非回転状態のいずれの状態にあるかを検出する工程と、
駆動中の前記ファンモータの非回転状態の時間を記憶する工程と、
前記ファンモータが非回転状態にある場合に、前記ファンモータを前記第１時間から前記記憶する工程において記憶された非回転状態の時間を差し引いた第２時間だけ延長駆動する工程と、
延長駆動期間中に前記ファンモータが回転状態にならなければ前記ファンモータを故障状態と判定し、延長駆動期間中に前記ファンモータが回転状態になれば前記ファンモータを正常状態と判定する工程とを有することを特徴とするファンモータの制御方法。
【請求項８】
前記ファンモータの起動時間を記憶する工程を有し、
前記判定する工程では、前記記憶された非回転状態の時間が前記第１時間より長い場合は前記ファンモータを故障状態と判定し、前記記憶された起動時間が前記第１時間より短い場合は前記第２時間の延長駆動を行ない、前記記憶された起動時間が前記第１時間より長く且つ前記記憶された非回転状態の時間が前記第１時間より短い場合は、前記ファンモータを正常状態と判定することを特徴とする請求項７に記載のファンモータの制御方法。
【手続補正２】
【補正対象書類名】明細書
【補正対象項目名】００１０
【補正方法】変更
【補正の内容】
【００１０】
上記目的を達成するために、本発明のファン制御装置は、装置内と装置外との間で空気流を発生させるファンモータの駆動を制御するファン制御装置であって、回転状態にあるべき前記ファンモータが非回転状態であることが検知された場合に第１時間の間に自動復帰動作を行う機能を備えるファン制御装置において、前記ファンモータが回転状態又は非回転状態のいずれの状態にあるかを検出する回転状態検出手段と、駆動中の前記ファンモータを停止させる際、前記ファンモータが非回転状態にある場合に、前記ファンモータを前記第１時間よりも長い第２時間だけ延長駆動し、延長駆動期間中に前記ファンモータが回転状態にならなければ前記ファンモータを故障状態と判定し、延長駆動期間中に前記ファンモータが回転状態になれば前記ファンモータを正常状態と判定する故障判定手段とを有することを特徴とする。
【手続補正３】
【補正対象書類名】明細書
【補正対象項目名】００１１
【補正方法】変更
【補正の内容】
【００１１】
又、本発明のファン制御装置は、装置内と装置外との間で空気流を発生させるファンモータの駆動を制御するファン制御装置であって、回転状態にあるべき前記ファンモータが非回転状態であることが検知された場合に第１時間の間に自動復帰動作を行う機能を備えるファン制御装置において、前記ファンモータが回転状態又は非回転状態のいずれの状態にあるかを検出する回転状態検出手段と、駆動中の前記ファンモータの非回転状態の時間を記憶する非回転状態記憶手段と、駆動中の前記ファンモータを停止させる際、前記ファンモータが非回転状態にある場合に、前記ファンモータを前記第１時間から前記非回転状態記憶手段に記憶された非回転状態の時間を差し引いた第２時間だけ延長駆動し、延長駆動期間中に前記ファンモータが回転状態にならなければ前記ファンモータを故障状態と判定し、延長駆動期間中に前記ファンモータが回転状態になれば前記ファンモータを正常状態と判定する故障判定手段とを有することを特徴とする。
ここで、前記ファンモータの起動時間を記憶する駆動時間記憶手段を有し、前記故障判定手段は、前記非回転状態記憶手段に記憶された非回転状態の時間が前記第１時間より長い場合は前記ファンモータを故障状態と判定し、前記駆動時間記憶手段に記憶された起動時間が前記第１時間より短い場合は前記第２時間の延長駆動を行ない、前記駆動時間記憶手段に記憶された起動時間が前記第１時間より長く且つ前記非回転状態記憶手段に記憶された非回転状態の時間が前記第１時間より短い場合は、前記ファンモータを正常状態と判定する。
【手続補正４】
【補正対象書類名】明細書
【補正対象項目名】００１２
【補正方法】変更
【補正の内容】
【００１２】
また、前記故障判定手段は、前記ファンモータの駆動中に前記ファンモータが非回転状態にあるときにカウントアップを行う第１カウント手段と、前記ファンモータが非回転状態から回転状態に変化した時に、前記第１カウンタのリセットを行う第１リセット手段とを有し、前記第２時間は、前記ファンモータが自動復帰動作に要する前記第１時間から、前記ファンモータ停止時の前記第１カウンタの示す値に相当する時間を差し引いた時間以上である。また、前記故障判定手段は、前記ファンモータ駆動中にカウントアップを行う第２カウント手段と、前記ファンモータ停止時に前記第２カウンタをリセットする第２リセット手段とを有し、駆動中の前記ファンモータを停止させる時の前記第２カウンタの示す値に相当する時間が、前記ファンモータが自動復帰動作に要する前記第１時間以下であり、且つ、前記ファンモータが非回転状態にある場合、前記ファンモータを前記第２時間だけ延長して駆動させ、延長駆動期間中に前記ファンモータが回転状態にならなければ前記ファンモータは故障状態と判断する。
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】変更
【補正の内容】
【００１４】
又、本発明のファンモータの制御方法は、装置内と装置外との間で空気流を発生させるファンモータの制御方法であって、回転状態にあるべき前記ファンモータが非回転状態であることが検知された場合に第１時間の間に自動復帰動作を行うファンモータの制御方法において、駆動中の前記ファンモータを停止させる際に、前記ファンモータが回転状態又は非回転状態のいずれの状態にあるかを検出する工程と、前記ファンモータが非回転状態にある場合に、前記ファンモータを前記第１時間よりも長い第２時間だけ延長駆動する工程と、延長駆動期間中に前記ファンモータが回転状態にならなければ前記ファンモータを故障状態と判定し、延長駆動期間中に前記ファンモータが回転状態になれば前記ファンモータを正常状態と判定する工程とを有することを特徴とする。
【手続補正７】
【補正対象書類名】明細書
【補正対象項目名】００１５
【補正方法】変更
【補正の内容】
【００１５】
又、本発明のファンモータの制御方法は、装置内と装置外との間で空気流を発生させるファンモータの制御方法であって、回転状態にあるべき前記ファンモータが非回転状態であることが検知された場合に第１時間の間に自動復帰動作を行うファンモータの制御方法において、駆動中の前記ファンモータを停止させる際に、前記ファンモータが回転状態又は非回転状態のいずれの状態にあるかを検出する工程と、駆動中の前記ファンモータの非回転状態の時間を記憶する工程と、前記ファンモータが非回転状態にある場合に、前記ファンモータを前記第１時間から前記記憶する工程において記憶された非回転状態の時間を差し引いた第２時間だけ延長駆動する工程と、延長駆動期間中に前記ファンモータが回転状態にならなければ前記ファンモータを故障状態と判定し、延長駆動期間中に前記ファンモータが回転状態になれば前記ファンモータを正常状態と判定する工程とを有することを特徴とする。
ここで、前記ファンモータの起動時間を記憶する工程を有し、前記判定する工程では、前記記憶された非回転状態の時間が前記第１時間より長い場合は前記ファンモータを故障状態と判定し、前記記憶された起動時間が前記第１時間より短い場合は前記第２時間の延長駆動を行ない、前記記憶された起動時間が前記第１時間より長く且つ前記記憶された非回転状態の時間が前記第１時間より短い場合は、前記ファンモータを正常状態と判定する。
【手続補正８】
【補正対象書類名】明細書
【補正対象項目名】００１６
【補正方法】削除
【補正の内容】